(57)【要約】【課題】  ケースに対するコンデンサ素体の占有率を高め、無駄な絶縁媒体量の削減を図る。【解決手段】  複数のコンデンサ素子１１を集合したコンデンサ素体１２〜１４を１００ｋｖａｒ、２００ｋｖａｒおよび４００ｋｖａｒの電力容量ごとにケース１５内に設置して絶縁媒体１６を封入したコンデンサ装置であって、１００ｋｖａｒ、２００ｋｖａｒおよび４００ｋｖａｒの電力容量を持つコンデンサ素体１２〜１４のうち、１００ｋｖａｒと４００ｋｖａｒの電力容量を持つ二つのコンデンサ素体１２，１４について、１００ｋｖａｒの電力容量を持つコンデンサ素体１２のコンデンサ素子数を、４００ｋｖａｒの電力容量を持つコンデンサ素体１４のコンデンサ素子数と同一に集合し、４００ｋｖａｒの電力容量を持つコンデンサ素体１４をコンデンサ素子１１の２直列４並列接続で構成し、１００ｋｖａｒの電力容量を持つコンデンサ素体１２をコンデンサ素子１１の４直列２並列接続で構成する。【選択図】    図１
2017212293.tif 000002
【特許請求の範囲】
【請求項１】
複数のコンデンサ素子を集合することによりコンデンサ素体を構成し、異なる電力容量を持つ複数のコンデンサ素体をケース内に設置して絶縁媒体を封入したコンデンサ装置であって、
前記コンデンサ素体のうちで最大電力容量を持つコンデンサ素体の素子集合方向長さと、最大電力容量以外の電力容量を持つコンデンサ素体の少なくとも一つの素子集合方向長さとを合致させたことを特徴とするコンデンサ装置。
【請求項２】
前記コンデンサ素体のうち、１対４の比率で電力容量を持つ二つのコンデンサ素体について、比率１の電力容量を持つコンデンサ素体のコンデンサ素子数を、比率４の電力容量を持つコンデンサ素体のコンデンサ素子数と同一に集合し、比率４の電力容量を持つコンデンサ素体をコンデンサ素子のｎ直列２ｎ並列接続で構成し、比率１の電力容量を持つコンデンサ素体をコンデンサ素子の２ｎ直列ｎ並列接続で構成した請求項１に記載のコンデンサ装置。
【請求項３】
前記コンデンサ素体は、比率１の電力容量を持つコンデンサ素体と、比率２の電力容量を持つコンデンサ素体と、比率４の電力容量を持つコンデンサ素体とで構成され、比率１の電力容量を持つコンデンサ素体と比率４の電力容量を持つコンデンサ素体のそれぞれを２個の分割素体に分けて並置し、比率１の電力容量を持つコンデンサ素体の各分割素体のコンデンサ素子数と、比率２の電力容量を持つコンデンサ素体のコンデンサ素子数と、比率４の電力容量を持つコンデンサ素体の各分割素体のコンデンサ素子数を同一に集合した請求項１又は２に記載のコンデンサ装置。
【発明の詳細な説明】
【技術分野】
【０００１】
本発明は、複数のコンデンサ素子を集合したコンデンサ素体を複数種の電力容量ごとにケース内に設置して絶縁媒体を封入したコンデンサ装置に関する。
【背景技術】
【０００２】
例えば、受電設備などでは、受電電力の力率を１００％近くに保持することが望ましい進相用用途において、力率を１００％に近づけるために、進み電流を流す進相用（調相用）コンデンサが使用されている。
【０００３】
このような進相用（調相用）コンデンサには、複数のコンデンサ素子を集合したコンデンサ素体を複数種の電力容量単位でケース内に設置して絶縁媒体を封入した構造のコンデンサ装置がある（例えば、特許文献１参照）。
【０００４】
このような構造を有する従来のコンデンサ装置を図９に示す。このコンデンサ装置は、同図に示すように、複数のコンデンサ素子１を集合したコンデンサ素体２〜４を複数種の電力容量、例えば１００ｋｖａｒ、２００ｋｖａｒおよび４００ｋｖａｒごとにケース５内に設置して絶縁油等の絶縁媒体６を封入した構造を具備する。
【０００５】
このコンデンサ装置において、１００ｋｖａｒ、２００ｋｖａｒおよび４００ｋｖａｒの各コンデンサ素体２〜４を構成するコンデンサ素子１は、例えば、複数枚の導電体箔を一対の電極として導電体箔の間を誘電体シートにより絶縁した状態で巻回したもので、所定の厚みを有するシート状をなす。
【０００６】
１００ｋｖａｒのコンデンサ素体２は、例えば、単相の場合、２個のコンデンサ素子１を集合することにより構成され、２００ｋｖａｒのコンデンサ素体３は、４個のコンデンサ素子１を集合することにより構成され、４００ｋｖａｒのコンデンサ素体４は、８個のコンデンサ素子１を集合することにより容量比の素子数で構成されている。
【０００７】
以上のような構造を具備したコンデンサ装置では、１００ｋｖａｒ、２００ｋｖａｒおよび４００ｋｖａｒの各コンデンサ素体２〜４にタップ（図示せず）が設けられている。このタップ間端子の結線を選択的に切り替えることにより、コンデンサ装置の出力容量を１００ｋｖａｒ単位で７００ｋｖａｒまで可変できるようにしている。
【０００８】
このようにして、コンデンサ装置の出力容量を必要に応じて可変することにより、受電設備での力率改善を微調整できるようにしている。
【先行技術文献】
【特許文献】
【０００９】
【特許文献１】実開平５−８５０３３号公報
【発明の概要】
【発明が解決しようとする課題】
【００１０】
ところで、前述した従来のコンデンサ装置では、図９に示すように、２個のコンデンサ素子１を集合した１００ｋｖａｒ用コンデンサ素体２と、４個のコンデンサ素子１を集合した２００ｋｖａｒ用コンデンサ素体３と、８個のコンデンサ素子１を集合した４００ｋｖａｒ用コンデンサ素体４とをケース５に収容して絶縁媒体６を封入した構造を具備する。
【００１１】
このように、１００ｋｖａｒ、２００ｋｖａｒおよび４００ｋｖａｒの各コンデンサ素体２〜４をケース５内に設置したコンデンサ装置では、１００ｋｖａｒ用コンデンサ素体２の素体高さが４００ｋｖａｒ用コンデンサ素体４の素体高さＨの１／４となっている。そのため、ケース５に対するコンデンサ素体２〜４の占有率が低く、無駄な絶縁媒体量が必要となる。
【００１２】
そこで、本発明は前述した問題点に鑑みて提案されたもので、その目的とするところは、ケースに対するコンデンサ素体の占有率を高め、無駄な絶縁媒体量の削減を図り得るコンデンサ装置を提供することにある。
【課題を解決するための手段】
【００１３】
前述の目的を達成するための技術的手段として、本発明は、複数のコンデンサ素子を集合することによりコンデンサ素体を構成し、異なる電力容量を持つ複数のコンデンサ素体をケース内に設置して絶縁媒体を封入したコンデンサ装置であって、コンデンサ素体のうちで最大電力容量を持つコンデンサ素体の素子集合方向長さと、最大電力容量以外の電力容量を持つコンデンサ素体の少なくとも一つの素子集合方向長さとを合致させたことを特徴とする。
【００１４】
ここで、「最大電力容量以外の電力容量を持つコンデンサ素体の少なくとも一つの素子集合方向長さ」とは、最大電力容量以外の電力容量を持つ一つのコンデンサ素体の素子集合方向長さ以外に、最大電力容量以外の電力容量を持つコンデンサ素体を合計した時の素子集合方向長さを含むことを意味する。また、「素子集合方向長さ」とは、コンデンサ素子を縦方向に集合させた場合には素体高さとなり、コンデンサ素子を横方向に集合させた場合には素体奥行あるいは素体幅となることを意味する。
【００１５】
本発明では、コンデンサ素体のうちで最大電力容量を持つコンデンサ素体の素子集合方向長さと、最大電力容量以外の電力容量を持つコンデンサ素体の少なくとも一つの素子集合方向長さとを合致させたことにより、ケースに対するコンデンサ素体の占有率を高め、無駄な絶縁媒体量の削減を図ることができる。
【００１６】
本発明において、コンデンサ素体のうち、１対４の比率で電力容量を持つ二つのコンデンサ素体について、比率１の電力容量を持つコンデンサ素体のコンデンサ素子数を、比率４の電力容量を持つコンデンサ素体のコンデンサ素子数と同一に集合し、比率４の電力容量を持つコンデンサ素体をコンデンサ素子のｎ直列２ｎ並列接続で構成し、比率１の電力容量を持つコンデンサ素体をコンデンサ素子の２ｎ直列ｎ並列接続で構成することが望ましい（但し、ｎは整数）。
【００１７】
このように、１対４の比率で電力容量を持つ二つのコンデンサ素体について、比率１の電力容量を持つコンデンサ素体のコンデンサ素子数と、比率４の電力容量を持つコンデンサ素体のコンデンサ素子数とを同一に集合すれば、比率１の電力容量を持つコンデンサ素体の素子集合方向長さと、比率４の電力容量を持つコンデンサ素体の素子集合方向長さとを同一にすることができる。
【００１８】
このように、二つのコンデンサ素体の素子集合方向長さの共通化により、ケースに対するコンデンサ素体の占有率をより一層高めることができる。その結果、無駄な絶縁媒体量をより一層削減することができる。
【００１９】
また、本発明では、１対４の比率で電力容量を持つ二つのコンデンサ素体について、比率４の電力容量を持つコンデンサ素体をコンデンサ素子のｎ直列ｍ並列接続、例えばｎ＝２とした場合、２直列４並列接続で構成し、比率１の電力容量を持つコンデンサ素体をコンデンサ素子の４直列２並列接続で構成すれば、コンデンサ素体の電力容量が出力電圧の二乗に比例することから、比率１の電力容量を持つコンデンサ素体の１直列段にかかる電圧分担を比率４の電力容量を持つコンデンサ素体の半分にすることができる。
【００２０】
このように、コンデンサ素体の電圧分担を半減できることにより、比率１の電力容量を持つコンデンサ素体の使用頻度が高い場合、そのコンデンサ素体の耐久性の向上が図れて長寿命化を実現することが容易となる。
【００２１】
本発明におけるコンデンサは、比率１の電力容量を持つコンデンサ素体と、比率２の電力容量を持つコンデンサ素体と、比率４の電力容量を持つコンデンサ素体とで構成されている場合、比率１の電力容量を持つコンデンサ素体と比率４の電力容量を持つコンデンサ素体のそれぞれを２個の分割素体に分けて並置し、比率１の電力容量を持つコンデンサ素体の各分割素体のコンデンサ素子数と、比率２の電力容量を持つコンデンサ素体のコンデンサ素子数と、比率４の電力容量を持つコンデンサ素体の各分割素体のコンデンサ素子数とを同一に集合した構造が望ましい。
【００２２】
このような構造を採用すれば、比率１の電力容量を持つコンデンサ素体の各分割素体の素子集合方向長さと、比率４の電力容量を持つコンデンサ素体の各分割素体の素子集合方向長さとを、比率２の電力容量を持つコンデンサ素体の素子集合方向長さに合わせることで、全てのコンデンサ素体の素子集合方向長さを同一にすることができる。
【００２３】
このように、全てのコンデンサ素体の素子集合方向長さの共通化により、ケースに対するコンデンサ素体の占有率をより一層高めることができる。その結果、無駄な絶縁媒体量をより一層削減することができる。
【発明の効果】
【００２４】
本発明によれば、コンデンサ素体の電圧分担を半減できることにより、比率１の電力容量を持つコンデンサ素体の使用頻度が高い場合、そのコンデンサ素体の耐久性の向上が図れて長寿命化を容易に実現し得るコンデンサ装置を提供できる。また、コンデンサ素体の素子集合方向長さの共通化により、ケースに対するコンデンサ素体の占有率を高めることができる。その結果、無駄な絶縁媒体量の削減を図ることができる。
【図面の簡単な説明】
【００２５】
【図１】本発明の実施形態で、１００ｋｖａｒ、２００ｋｖａｒおよび４００ｋｖａｒのコンデンサ素体を組み込んだコンデンサ装置を示す概略構成図である。
【図２】図１の各コンデンサ素体を構成するコンデンサ素子を示す斜視図である。
【図３】（Ａ）はコンデンサ素子の２直列４並列接続で構成した４００ｋｖａｒ用コンデンサ素体を示す回路図、（Ｂ）はコンデンサ素子の４直列２並列接続で構成した１００ｋｖａｒ用コンデンサ素体を示す回路図である。
【図４】本発明の他の実施形態で、２００ｋｖａｒ、４００ｋｖａｒおよび８００ｋｖａｒのコンデンサ素体を組み込んだコンデンサ装置を示す概略構成図である。
【図５】図１の変形例で、１００ｋｖａｒ、２００ｋｖａｒおよび４００ｋｖａｒのコンデンサ素体を組み込んだコンデンサ装置を示す概略構成図である。
【図６】本発明の他の実施形態で、１００ｋｖａｒ、２００ｋｖａｒおよび３００ｋｖａｒのコンデンサ素体を組み込んだコンデンサ装置を示す概略構成図である。
【図７】図６の変形例で、１００ｋｖａｒ、２００ｋｖａｒおよび３００ｋｖａｒのコンデンサ素体を組み込んだコンデンサ装置を示す概略構成図である。
【図８】本発明の他の実施形態で、２００ｋｖａｒ、３００ｋｖａｒおよび４００ｋｖａｒのコンデンサ素体を組み込んだコンデンサ装置を示す概略構成図である。
【図９】１００ｋｖａｒ、２００ｋｖａｒおよび４００ｋｖａｒのコンデンサ素体を組み込んだ従来のコンデンサ装置を示す概略構成図である。
【発明を実施するための形態】
【００２６】
本発明に係るコンデンサ装置の実施形態を図面に基づいて以下に詳述する。
【００２７】
以下の実施形態では、受電設備などに使用され、例えば、力率改善のために進み電流を流す進相用（調相用）コンデンサとして、複数のコンデンサ素子を集合したコンデンサ素体を複数種の電力容量ごとにケース内に設置して絶縁媒体を封入した電力用コンデンサ装置を例示する。
【００２８】
この実施形態におけるコンデンサ装置は、図１に示すように、複数のコンデンサ素子１１を縦方向に集合したコンデンサ素体１２〜１４を複数種の電力容量、例えば、この実施形態の場合、１００ｋｖａｒ、２００ｋｖａｒおよび４００ｋｖａｒごとにケース１５内に設置して絶縁油等の絶縁媒体１６を封入した構造を具備する。
【００２９】
このコンデンサ装置において、１００ｋｖａｒ、２００ｋｖａｒおよび４００ｋｖａｒの各コンデンサ素体１２〜１４を構成するコンデンサ素子１１は、例えば、アルミニウム等の導電体箔を一対の電極として、複数枚の導電体箔間をフィルム等の誘電体シートにより絶縁した状態で巻回したもので、所定の厚みを有するシート状をなす（図２参照）。
【００３０】
この実施形態のコンデンサ装置において、１００ｋｖａｒのコンデンサ素体１２は、例えば、単相の場合、８個のコンデンサ素子１１を集合することにより構成され、２００ｋｖａｒのコンデンサ素体１３は、４個のコンデンサ素子１１を集合することにより構成され、４００ｋｖａｒのコンデンサ素体１４は、８個のコンデンサ素子１１を集合することにより構成されている。なお、三相の場合には、前述した各コンデンサ素体１２，１３，１４の素子数は３倍の個数となる。また、図１において、各コンデンサ素体１２〜１４を構成するコンデンサ素子１１同士の電気的接続は、図示省略している。
【００３１】
以上のような構造を具備したコンデンサ装置では、１００ｋｖａｒ、２００ｋｖａｒおよび４００ｋｖａｒの各コンデンサ素体１２〜１４ごとにタップ（図示せず）が設けられている。このタップ間端子の結線を選択的に切り替えることにより、コンデンサ装置の出力容量を１００ｋｖａｒ単位で７００ｋｖａｒまで可変できるようにしている。
【００３２】
このようにして、コンデンサ装置の出力容量を必要に応じて可変することにより、受電設備での、例えば力率を改善する等の容量調整を可能にしている。
【００３３】
この実施形態のコンデンサ装置では、１００ｋｖａｒ、２００ｋｖａｒおよび４００ｋｖａｒの各コンデンサ素体１２〜１４のうち、１対４の比率で電力容量を持つコンデンサ素体、つまり、１００ｋｖａｒ用コンデンサ１２と４００ｋｖａｒ用コンデンサ素体１４について、１００ｋｖａｒ用コンデンサ素体１２を構成するコンデンサ素子１１の素子数と、４００ｋｖａｒ用コンデンサ素体１４を構成するコンデンサ素子１１の素子数とを同一に集合している。
【００３４】
つまり、このコンデンサ装置では、例えば、単相の場合、８個のコンデンサ素子１１を集合した１００ｋｖａｒ用コンデンサ素体１２と、４個のコンデンサ素子１１を集合した２００ｋｖａｒ用コンデンサ素体１３と、８個のコンデンサ素子１１を集合した４００ｋｖａｒ用コンデンサ素体１４とをケース１５に収容して絶縁媒体１６を封入した構造を具備する。なお、三相の場合には、前述した各コンデンサ素体１２，１３，１４の素子数は３倍の個数となる。
【００３５】
これにより、１００ｋｖａｒ、２００ｋｖａｒおよび４００ｋｖａｒの各コンデンサ素体１２〜１４をケース１５内に設置したコンデンサ装置では、１００ｋｖａｒ用コンデンサ素体１２の素子集合方向長さである素体高さＨと４００ｋｖａｒ用コンデンサ素体１４の素体高さＨとを同一にすることができる。一方、従来のコンデンサ装置では、１００ｋｖａｒ用コンデンサ素体２の素体高さが４００ｋｖａｒ用コンデンサ素体４の素体高さＨの１／４となっている（図９参照）。
【００３６】
このように、以上の実施形態におけるコンデンサ装置では、１００ｋｖａｒ用コンデンサ素体１２と４００ｋｖａｒ用コンデンサ素体１４の素体高さＨの共通化により、ケース１５に対するコンデンサ素体１２〜１４の占有率を高めることができる。その結果、無駄な絶縁媒体量の削減を図ることができる。
【００３７】
また、この実施形態のコンデンサ装置では、１対４の比率で電力容量を持つ二つのコンデンサ素体、つまり、１００ｋｖａｒ用コンデンサ素体１２と４００ｋｖａｒ用コンデンサ素体１４について、図３（Ａ）に示すように、４００ｋｖａｒ用コンデンサ素体１４をコンデンサ素子１１の２直列４並列接続で構成するのに対して、図３（Ｂ）に示すように、１００ｋｖａｒ用コンデンサ素体１２をコンデンサ素子１１の４直列２並列接続で構成している。
【００３８】
ここで、コンデンサ素体１２〜１４の電力容量Ｑ［ｋｖａｒ］は出力電圧Ｖの二乗に比例する（Ｑ＝２πｆＣＶ2、但し、ｆは周波数、Ｃは静電容量）。このことから、４００ｋｖａｒ用コンデンサ素体１４をコンデンサ素子１１の２直列４並列接続で構成し、１００ｋｖａｒ用コンデンサ素体１２をコンデンサ素子１１の４直列２並列接続で構成したことにより、１００ｋｖａｒ用コンデンサ素体１２の電圧分担を４００ｋｖａｒ用コンデンサ素体１４の電圧分担の半分にすることができる。
【００３９】
このように、１００ｋｖａｒ用コンデンサ素体１２の電圧分担を４００ｋｖａｒ用コンデンサ素体１４の電圧分担の半分にすることができることで、１００ｋｖａｒ用コンデンサ素体１２の使用頻度が高い場合、つまり、受電設備における例えば力率を改善（調整）するために１００ｋｖａｒ用コンデンサ素体１２のタップ開閉が頻繁に繰り返される場合、投入回数や課電時間が多くなる１００ｋｖａｒ用コンデンサ素体１２について、耐久性の向上が図れて長寿命化を容易に実現することができる。
【００４０】
以上の実施形態では、１００ｋｖａｒ、２００ｋｖａｒおよび４００ｋｖａｒ用コンデンサ素体１２〜１４をケース１５内に設置したコンデンサ装置を例示したが、コンデンサ装置には、図４に示すように、２００ｋｖａｒ、４００ｋｖａｒおよび８００ｋｖａｒ用コンデンサ素体２２，１４，２４をケース１５内に設置して絶縁媒体１６を封入したタイプもある。
【００４１】
このタイプのコンデンサ装置では、２００ｋｖａｒ、４００ｋｖａｒおよび８００ｋｖａｒの各コンデンサ素体２２，１４，２４ごとにタップ（図示せず）が設けられている。このタップ間端子の結線を選択的に切り替えることにより、コンデンサ装置の出力容量を２００ｋｖａｒ単位で１４００ｋｖａｒまで可変できるようにしている。
【００４２】
このコンデンサ装置では、２００ｋｖａｒ用コンデンサ素体２２を、２個の分割素体１２（図１の１００ｋｖａｒ用コンデンサ素体１２と相当）に分けて並置することで構成し、８００ｋｖａｒ用コンデンサ素体２４を、２個の分割素体１４（図１の４００ｋｖａｒ用コンデンサ素体１４と相当）に分けて並置することで構成している。これにより、２００ｋｖａｒ用コンデンサ素体２２の各分割素体１２と、４００ｋｖａｒ用コンデンサ素体１４と、８００ｋｖａｒ用コンデンサ素体２４の各分割素体１４とを構成するコンデンサ素子１１の素子数を同一に集合した構造となる。
【００４３】
このような構造を採用したことにより、２００ｋｖａｒ用コンデンサ素体２２の各分割素体１２と８００ｋｖａｒ用コンデンサ素体２４の各分割素体１４の素体高さＨを４００ｋｖａｒ用コンデンサ素体１４の素体高さＨに合わせることで、２００ｋｖａｒ用コンデンサ素体２２の各分割素体１２と４００ｋｖａｒ用コンデンサ素体１４と８００ｋｖａｒ用コンデンサ素体２４の各分割素体１４からなる全てのコンデンサ素体２２，１４，２４の素体高さＨを同一にすることができる。
【００４４】
このように、２００ｋｖａｒ用コンデンサ素体２２の各分割素体１２と４００ｋｖａｒ用コンデンサ素体１４と８００ｋｖａｒ用コンデンサ素体２４の各分割素体１４からなる全てのコンデンサ素体２２，１４，２４の素体高さＨの共通化により、ケース１５に対するコンデンサ素体２２，１４，２４の占有率をより一層高めることができる。その結果、無駄な絶縁媒体量をより一層削減することができる。また、全てのコンデンサ素体２２，１４，２４の素体高さＨの共通化は、コンデンサ素体２２，１４，２４の生産効率を向上させる点でも有効である。
【００４５】
図１に示す実施形態では、１００ｋｖａｒ用コンデンサ素体１２の素体高さＨと４００ｋｖａｒ用コンデンサ素体１４の素体高さＨとを同一にした場合について説明したが、１００ｋｖａｒ、２００ｋｖａｒおよび４００ｋｖａｒ用コンデンサ素体３２，１３，３４をケース１５内に設置して絶縁媒体１６を封入したコンデンサ装置は、図５に示すような構造とすることも可能である。
【００４６】
このコンデンサ装置では、図４の実施形態におけるコンデンサ装置と同様、１００ｋｖａｒ用コンデンサ素体３２を、２個の分割素体１７（５０ｋｖａｒ用コンデンサ素体）に分けて並置することで構成し、４００ｋｖａｒ用コンデンサ素体３４を、２個の分割素体１３（図１の２００ｋｖａｒ用コンデンサ素体１３に相当）に分けて並置することで構成している。これにより、１００ｋｖａｒ用コンデンサ素体３２の各分割素体１７と、２００ｋｖａｒ用コンデンサ素体１３と、４００ｋｖａｒ用コンデンサ素体３４の各分割素体１３とを構成するコンデンサ素子１１の素子数を同一に集合した構造となる。
【００４７】
このような構造を採用したことにより、１００ｋｖａｒ用コンデンサ素体３２の各分割素体１７と４００ｋｖａｒ用コンデンサ素体３４の各分割素体１３の素体高さＨ／２を２００ｋｖａｒ用コンデンサ素体１３の素体高さＨ／２に合わせることで、１００ｋｖａｒ用コンデンサ素体３２の各分割素体１７と２００ｋｖａｒ用コンデンサ素体１３と４００ｋｖａｒ用コンデンサ素体３４の各分割素体１３からなる全てのコンデンサ素体３２，１３，３４の素体高さＨ／２を同一にすることができる。
【００４８】
このように、１００ｋｖａｒ用コンデンサ素体３２の各分割素体１７と２００ｋｖａｒ用コンデンサ素体１３と４００ｋｖａｒ用コンデンサ素体３４の各分割素体１３からなる全てのコンデンサ素体３２，１３，３４の素体高さＨ／２の共通化により、ケース１５に対するコンデンサ素体３２，１３，３４の占有率をより一層高めることができる。その結果、無駄な絶縁媒体量をより一層削減することができる。また、全てのコンデンサ素体３２，１３，３４の素体高さＨ／２の共通化は、コンデンサ素体３２，１３，３４の生産効率を向上させる点でも有効である。
【００４９】
以上の実施形態では、１００ｋｖａｒ、２００ｋｖａｒおよび４００ｋｖａｒ用コンデンサ素体１２〜１４あるいは２００ｋｖａｒ、４００ｋｖａｒおよび８００ｋｖａｒ用コンデンサ素体２２，１４，２４を組み込んだコンデンサ装置について説明したが、本発明はこれに限定されることなく、例えば、図６〜図８の構造を有するコンデンサ装置であってもよい。
【００５０】
図６は、１００ｋｖａｒ、２００ｋｖａｒおよび３００ｋｖａｒ用コンデンサ素体４２，１３，４３を組み込んだコンデンサ装置であり、１００ｋｖａｒ用コンデンサ素体４２は、図１および図４に示す１００ｋｖａｒ用コンデンサ素体１２を逆Ｌ字状に成形したものである。これにより、全てのコンデンサ素体４２，１３，４３の素体高さ３Ｈ／４を同一にしている。
【００５１】
図７は、１００ｋｖａｒ、２００ｋｖａｒおよび３００ｋｖａｒ用コンデンサ素体２，１３，４３を組み込んだコンデンサ装置であり、１００ｋｖａｒ用コンデンサ素体２は、従来の１００ｋｖａｒ用コンデンサ素体２（図９参照）を２００ｋｖａｒ用コンデンサ素体１３の上に積層したものである。これにより、全てのコンデンサ素体２，１３，４３の素体高さ３Ｈ／４を同一にしている。
【００５２】
図８は、２００ｋｖａｒ、３００ｋｖａｒおよび４００ｋｖａｒ用コンデンサ素体１３，４３，４４を組み込んだコンデンサ装置であり、４００ｋｖａｒ用コンデンサ素体４４は、図１および図４に示す４００ｋｖａｒ用コンデンサ素体１４を逆Ｌ字状に成形したものである。これにより、全てのコンデンサ素体１３，４３，４４の素体高さ３Ｈ／４を同一にしている。
【００５３】
本発明は前述した実施形態に何ら限定されるものではなく、本発明の要旨を逸脱しない範囲内において、さらに種々なる形態で実施し得ることは勿論のことであり、本発明の範囲は、特許請求の範囲によって示され、さらに特許請求の範囲に記載の均等の意味、および範囲内のすべての変更を含む。
【符号の説明】
【００５４】
１１  コンデンサ素子
１２〜１４  コンデンサ素体
１５  ケース
１６  絶縁媒体
【図１】
2017212293.tif 000003
【図２】
2017212293.tif 000004
【図３】
2017212293.tif 000005
【図４】
2017212293.tif 000006
【図５】
2017212293.tif 000007
【図６】
2017212293.tif 000008
【図７】
2017212293.tif 000009
【図８】
2017212293.tif 000010
【図９】
2017212293.tif 000011